(57)【要約】【課題】  電動工具用作業台における構造の簡素化を図る上で有効な技術を提供する。【解決手段】  電動工具用作業台は、２本の支持棒１２０と、支持棒を支持する支脚１１０と、支持棒によって支持される２本の隣接するサポート部材１３０と、２本の支持棒を拡開位置に固定可能なロック機構１４０を備えている。２本のサポート部材１３０は、電動工具の載置台を構成するものであり、それぞれが支持棒に対し当該支持棒に沿って個々に移動可能に取り付けられて隣接するサポート部材との離間幅が調整可能とされている。そして支持棒が拡開位置に広げられたときには当該支持棒による突っ張り力で移動が規制され、拡開位置から狭められたときには当該支持棒に対する移動が許容される構成とされている。【選択図】  図１
2005246537.tif 000002
【特許請求の範囲】
【請求項１】
相互に水平状に並行して対向状に配置されるとともに、対向間隔を変えることが可能な２本の支持棒と、前記支持棒を支持する支脚と、前記支持棒を横切るように配置されるとともに一端が一方の支持棒に支持され、他端が他方の支持棒によって支持される複数の隣接するサポート部材と、前記２本の支持棒を、当該支持棒の対向間隔を広げた拡開位置に固定可能なロック機構を備え、
前記サポート部材は、互いに隣接するサポート部材との間に電動工具載置用の設置面を形成するとともに、それぞれが前記支持棒に対し当該支持棒に沿って個々に移動可能に取り付けられ、それによって隣接するサポート部材との離間幅が調整可能とされており、前記支持棒が前記拡開位置に広げられたときには当該支持棒による突っ張り力で移動が規制され、前記拡開位置から狭められたときには当該支持棒に対する移動が許容される構成としたことを特徴とする電動工具用作業台。
【請求項２】
請求項１に記載の電動工具用作業台であって、
前記支持棒を支持する支脚は、互いに交差するとともに、当該交差部を回動支点にして互いに近接状に配置される折畳み位置と、互いに傾斜状に配置される開脚位置との間で回動自在とされており、
前記ロック機構は、２本のアームを相対回動可能に連結してなる関節リンク式のステーを、前記支脚間に架設することで構成され、前記ステーを、２本のアームが直線状をなす形態とすることで前記支脚を開脚位置に固定し、２本のアームが曲折状をなす形態とすることで前記固定が解除される構成としたことを特徴とする電動工具用作業台。
【請求項３】
請求項２に記載の電動工具用作業台であって、
前記サポート部材は、一方の支持棒に対しては回動自在に取り付けられ、他方の支持棒に対しては係脱可能に構成されていることを特徴とする電動工具用作業台。
【請求項４】
請求項１〜３のいずれかに記載の電動工具用作業台であって、
前記サポート部材の離間幅は、作業者が加工作業を遂行するときに立つ作業位置から見て横方向の移動により調整される構成としたことを特徴とする電動工具用作業台。
【発明の詳細な説明】
【技術分野】
【０００１】
本発明は、例えば卓上丸鋸のような定置式の電動工具を載置する作業台として好適な電動工具用作業台に関する。
【背景技術】
【０００２】
特開昭５３−４４９９９号公報（特許文献１）には、作業台に関する技術が開示されている。この従来の作業台では、支脚は折畳みが可能とされたＸ形のフレームによって構成されており、この支脚の上に２本の水平なベース枠が取り付けられ、さらにそのベース枠上に、加工片を支持するために用いられる２個の支持台（天板）がベース枠を横切るように取り付けられている。２個の支持台は、ベース枠に対して互いの相対間隔が調整可能に取り付けられ、上面を加工片の載置面と使用することができ、また支持台の側面を使ってバイス（万力）としても適用できる構成としている。
ところで、木材等の被加工材の切断作業に使用される卓上丸鋸は、大型のものから小型のものまで、サイズの異なる多数の機種がある。従って、上記のように対向間隔が調整可能とされた支持台を有する作業台の場合、卓上丸鋸を支持台に固定する手段として、例えばボルトを用いる方式とすれば、当該作業台にボルト挿通用の取付孔を設けることで有効に活用することが可能である。
【０００３】
しかしながら、上述した公報に記載の作業台においては、支脚を構成するフレームの上縁部にベース枠に取り付けた二股状の爪を上方から嵌め込むことによって支脚を作業位置（Ｘ状の開脚位置）に保持する構成としている。このため、支脚を閉じる方向に不測の外力が作用したとき、爪がフレームから離脱する可能性があり、この点において改良の余地がある。
【特許文献１】特開昭５３−４４９９９号公報
【発明の開示】
【発明が解決しようとする課題】
【０００４】
本発明は、かかる点に鑑みてなされたものであり、電動工具用作業台における使用性の向上に資する技術を提供することを目的とする。
【課題を解決するための手段】
【０００５】
上記課題を達成するため、各請求項記載の発明が構成される。
請求項１に記載の発明に係る電動工具用作業台は、２本の支持棒と、当該支持棒を支持する支脚と、支持棒を横切るように配置される複数の隣接するサポート部材と、ロック機構を備えた構成とされる。２本の支持棒は、相互に水平状に並行して対向状に配置されるとともに、対向間隔を変えることが可能とされており、そして対向間隔を広げた拡開位置ではロック機構によって固定可能とされる。サポート部材は、一端が一方の支持棒に支持され、他端が他方の支持棒によって支持される。なおロック機構によって支持棒を固定する態様としては、当該支持棒を直接的に固定する態様、あるいは支持棒を支持する支脚を固定する間接的な固定態様のいずれをも好適に包含する。
本発明の電動工具用作業台においては、サポート部材は、互いに隣接するサポート部材との間に電動工具載置用の設置面を形成する。すなわち、複数のサポート部材は電動工具の載置台を構成するものであって、それぞれが支持棒に対し当該支持棒に沿って個々に移動可能に取り付けられ、それによって隣接するサポート部材との離間幅が調整可能とされている。そしてサポート部材は、支持棒が拡開位置に広げられときには当該支持棒による突っ張り力で移動が規制され、拡開位置から狭められたときには支持棒に対する移動が許容される構成とされている。
【０００６】
上記のように構成される電動工具用作業台によれば、２本の支持棒の対向間隔を拡開位置から狭めた状態では、当該支持棒に対しサポート部材の移動が許容される。この状態では隣接する複数のサポート部材の離間幅を使用（載置）すべき電動工具の機種に応じてあるいはサイズに対応した好適な幅に調節することができる。一方、支持棒の対向間隔を所定の拡開位置まで広げてロック機構によって固定した状態では、当該支持棒による突っ張り力によって各サポート部材の移動が規制される。その状態で電動工具をサポート部材上に載置して固定することにより、当該電動工具を用いて所定の加工作業を遂行することができる。なおサポート部材上に載置された電動工具の固定は、例えばボルトのような固定手段を介して行うことが可能である。ここで、電動工具としては、典型的には卓上丸鋸やスライド丸鋸がこれに該当するが、サポート部材上に固定した状態で加工作業を行うことが可能な、いわゆる定置式の電動工具であれば、適用することが可能である。
このように、本発明の電動工具用作業台によれば、ロック機構を操作して２本の支持棒を拡開位置に固定することによってサポート部材を支持棒に対し確実に固定することが可能となり、使用性の向上された電動工具用作業台が提供される。
【０００７】
（請求項２に記載の発明）
請求項２に記載の発明によれば、請求項１に記載の電動工具用作業台における支持棒を支持する支脚は、互いに交差するとともに、当該交差部を回動支点にして互いに近接状に配置される折畳み位置と、互いに傾斜状に配置される開脚位置との間で回動自在とされており、ロック機構は、２本のアームを相対回動可能に連結してなる関節リンク式のステーを、支脚間に架設することで構成され、当該ステーを、２本のアームが直線状をなす形態とすることで支脚を開脚位置に固定し、２本のアームが曲折状をなす形態とすることで固定が解除される構成とされる。
上記の構成によれば、支脚を開脚位置へ回動した後、２本のアームが直線状をなすようにステーを操作することで、支脚を当該支脚に作用する突っ張り力を介して開放位置に固定することができ、またステーに対し２本のアームが折れる方向に力を加えることで固定を解除することができる。すなわち、請求項２に記載の発明によれば、支脚の折り畳みが可能とされた電動工具用作業台において、構造および操作の簡単な支脚用のロック機構を提供することができる。
【０００８】
（請求項３に記載の発明）
請求項３に記載の発明によれば、請求項２に記載の電動工具用作業台におけるサポート部材は、一方の支持棒に対しては回動自在に取り付けられ、他方の支持棒に対しては係脱可能に構成されている。上記構成によれば、支脚の折り畳みが可能とされた電動工具用作業台において、支脚の折畳みに際し、サポート部材を他方の支持棒から取り外すことができるため、支脚の折畳みを円滑に行うことができる。
【０００９】
（請求項４に記載の発明）
請求項４に記載の発明は、請求項１〜３のいずれかに記載の電動工具用作業台におけるサポート部材の離間幅は、作業者が加工作業を遂行するときに立つ作業位置から見て横方向の移動により調整される構成としている。作業台に電動工具を載置して所定の加工作業を遂行する場合、作業時の安定性を考慮すると、電動工具を作業台の中央部に載置することが好ましい。本発明のようにサポート部材の離間幅調整を横方向の移動により調整する構成としたときは、前後方向の移動によって調整する構成に比べて、作業台の中央に電動工具を載置し易く、使い勝手のよい作業台が提供されることとなる。
【発明の効果】
【００１０】
本発明によれば、電動工具用作業台における使用性の向上に資する技術が提供されることとなった。
【発明を実施するための最良の形態】
【００１１】
以下、本発明の実施の形態につき、図面を参照しつつ、詳細に説明する。
本実施の形態は、折畳み式の作業台であって、卓上丸鋸用の作業台として適用する場合で説明する。図１および図２はそれぞれ組み立てられた状態の作業台１００の側面図であり、図１にはロック機構１４０により支脚１１０が固定され、かつ電動工具としての卓上丸鋸２００が載置された状態が示され、図２には支脚１１０の固定が解除された状態が示されている。図３は組み立てられた状態の作業台１００の平面図であり、卓上丸鋸２００が載置された状態が示されている。図４はサポート部材１３０の離間幅Ｌの調整作業を説明する平面図である。図５は作業台１００の折畳み状態を段階的に示す側面図である。
本実施の形態に係る作業台１００は、概括的には、所定の間隔をおいて対向状に配置される２組（４本）の支脚１１０と、支脚１１０を開脚位置に固定するロック機構１４０と、対向する２組の支脚１１０の頂部間に設けられる２本の支持棒１２０と、支持棒１２０間に横架状に設置されて電動工具の載置台を構成する２個のサポート部材１３０と、から構成されている。
【００１２】
各支脚１１０は、それぞれが２本のフレーム１１１をＸ状に交差させた状態で、当該交差部を回動軸１１３によって回動自在に連結してなる構成とされ、２本のフレーム１１１が互いに近接状に配置される図５の右端に示す折畳み位置と、２本のフレーム１１１が互いに傾斜状に配置される図１に示す開脚位置（使用位置）との間で回動自在とされる。なおフレーム１１１は鉄製の角パイプによって形成されている。また一方の支脚１１０のフレーム１１１と、これに対向する他方の支脚１１０のフレーム１１１は、対向するもの同士が下部側において連結棒１１５により接合（溶接）されて一体化されている。
【００１３】
ロック機構１４０は、２組の支脚１１０それぞれに設けられる。ロック機構１４０は、２本のアーム１４１，１４３の一端部同士が軸１４５によって互いに回動自在に連結された関節リンク式のステー１４７によって構成されている。ステー１４７を構成する一方のアーム１４１の他端が一方のフレーム１１１に軸１４１ａを介して回動自在に連結され、他方のアーム１４３の他端が他方のフレーム１１１に軸１４３ａを介して回動自在に連結されている。そしてロック機構１４０は、ステー１４７を、２本のアーム１４１，１４３が図１に示す直線状をなす形態とすることによって支脚１１０のフレーム１１１を開脚位置に固定し、２本のアーム１４１，１４３が図２に示す曲折状をなす形態とすることによって固定が解除される構成とされる。なおステー１４７の直線状態は、一方のアーム１４１に設けた係止爪１４９が、他方のアーム１４３の上縁部に上方から重なるように係止することによって保持される構成とされる。
【００１４】
２本の支持棒１２０は、それぞれが鉄製の円形パイプからなり、対向状に配置される一方の支脚１１０と、他方の支脚１１０との間に互いに平行をなすよう水平状に横架される。各支持棒１２０は、一端が一方の支脚１１０におけるフレーム１１１の上端部に接合（溶接）され、他端が他方の支脚１１０におけるフレーム１１１の上端部に接合（溶接）されて一体化されている。従って、２本の支持棒１２０は、支脚１１０のフレーム１１１が開脚位置へ移動されてロック機構１４０によって固定されたとき、相互の対向間隔が最大とされる。上記の対向間隔が最大とされる位置が本発明における「拡開位置」に対応する。
【００１５】
２個のサポート部材１３０は、鉄製のチャンネル材（溝形鋼）からなり、２本の支持棒１２０間に当該支持棒１２０を横切るように横並びに配置される。各サポート部材１３０は、一端が一方の支持棒１２０に回動自在に支持され、他端が他方の支持棒１２０に対しフック状の係合部１３１を介して係脱可能に装着される構成とされる。すなわち、各サポート部材１３０は、一端を回動支点にして上下方向へ回動することによって他方の支持棒１２０に対し係合あるいは離脱され（図２参照）、係合状態においては支持棒１２０に沿って移動可能とされる。なお係合部１３１は、支持棒１２０に対する係合面が当該支持棒１２０の外周形状に近似する円弧状に形成されている。
【００１６】
サポート部材１３０は、卓上丸鋸２００を載置する平坦な上面部１３３を有するとともに、隣接するサポート部材１３０との間に卓上丸鋸載置用の設置面を構成している。またサポート部材１３０の上面部１３３には、卓上丸鋸２００を固定するときに用いられる複数の取付孔１３５が長手方向（支持棒１２０に対する横架方向）に適宜間隔を置いて形成されている。なおサポート部材１３０に対する卓上丸鋸２００の固定は、当該卓上丸鋸側に形成された取付孔（開口）を上面部１３３の取付孔１３５に重ね合わせた状態で、それら取付孔にボルト２０１（図３参照）を挿通してナットにて締結することで遂行される。
【００１７】
次に上記のように構成された作業台１００の使用態様を説明する。図１はロック機構１４０によって支脚１１０が開脚位置に固定された状態が示されている。すなわち、図１に矢印Ａで示すように、ステー１４７に対し上方から外力を加えて２本のアーム１４１，１４３を直線状態とすると、当該ステー１４７の突っ張り力によって支脚１１０を構成するフレーム１１１が最大に傾斜されたＸ状の開脚位置に固定される。このとき、２本の支持棒１２０に横架されたサポート部材１３０の端部（支持棒１２０に対する回動支点および係合部）には、図１に矢印Ｂで示すように、両支持棒１２０を介して突っ張り力が作用する。すなわち、サポート部材１３０は、支持棒１２０から受ける突っ張り力によって当該支持棒１２０に固定される。
【００１８】
かくして、サポート部材１３０を固定した状態では、当該サポート部材１３０上に卓上丸鋸２００を載置し、取付孔１３５を用いてボルトおよびナットにて固定した後、当該卓上丸鋸２００を使って被加工材の切断作業を遂行することができる。この場合、作業者は図３に示される作業台１００の右側に立って卓上丸鋸２００による加工材の切断作業を遂行する。本実施の形態では、作業台１００は図示の如く作業者から見て横方向に長く形成され、その長手方向にサポート部材１３０を移動させてサポート部材１３０相互の離間幅調整を行う構成のため、例えば前後方向に移動させて離間幅を調整する構成に比べて、作業台１００の中央に電動工具を載置し易い。このため、作業台１００を安定した状態で使用し易く、使い勝手のよい作業台１００が提供される。
【００１９】
一方、ロック機構１４０におけるステー１４７に図２に示す矢印Ｃ方向の外力を加えてアーム１４１，１４３を軸１４５回りに回動させて曲折させたときは、フレーム１１１の固定が解除されると同時に２本の支持棒１２０の対向間隔が狭められる。これにより、サポート部材１３０に作用する突っ張り力が解除（消去）される結果、当該サポート支持部材１３０の支持棒１２０に沿う移動が許容される。図２にはロック機構１４０による支脚１１０の固定解除状態が示されている。この状態では、図４に示すように、隣接する２個のサポート部材１３０の離間幅Ｌを調整することができる。
【００２０】
このように、本実施の形態にかかる作業台１００によれば、２個のサポート部材１３０相互の離間幅Ｌを使用（載置）すべき卓上丸鋸２００のサイズに対応した大きさに調節することができ、そして離間幅Ｌの調節後にあっては、ロック機構１４０におけるステー１４７を直線状態に操作することによって支脚１１０を開脚位置に確実に固定し、同時にサポート部材１３０を調節された位置に固定することができる。すなわち、サポート部材１３０の固定は、支持棒１２０の対向間隔を広げてサポート部材１３０に突っ張り力を作用させることによって行うことができる構成であり、サポート部材１３０を固定するための専用のロック機構が不要となる。このことにより、支脚１１０を開脚位置に固定するためのロック機構１４０を設けるだけ済み、その結果、構造の簡素化が達成される。また支脚１１０に対してこれを閉じる方向（折畳む方向）に外力が作用してもロック機構１４０によって支脚１１０の開脚状態を確実に保持することができ、安定性のある使用性の向上された作業台１００が提供される。
【００２１】
また本実施の形態では、サポート部材１３０は、他方の支持棒１２０に対してはフック状の係合部１３１を介して係脱する構成とされている。そして２本の支持棒１２０の対向間隔が最も広げられてサポート部材１３０に突っ張り力が付与された状態では、当該サポート部材１３０が一方の支持棒１２０を回動支点にした回動時のフック先端部の回動軌跡が他方の支持棒１２０を横切ることになり、これによりサポート部材１３０の不用意な回動を防止することができる。またロック機構１４０による支脚１１０の固定解除状態では、サポート部材１３０の一端を一方の支持棒１２０から外すことができるため、支脚１１０のフレーム１１１の折畳みを支障しない。すなわち、作業台１００を図５に示す如くコンパクトに折畳むことができる。なお図５には各部材の折畳み順序が矢印によって示されている。
【００２２】
なお本実施の形態では、Ｘ状に交差するフレーム１１１により支脚１１０を構成し、この支脚１１０をロック機構１４０によって開脚位置に固定することで、支持棒１２０を拡開位置に固定する間接的な固定方式としているが、支持棒１２０を図示の如き関節リンク式のロック装置１４０あるいは別形式のロック装置によって直接的に拡開位置に固定する構成としてもよい。支持棒１２０を直接固定する方式としたときは、支持棒１２０と支脚１１０は切り離された構成でもよい。すなわち、支持棒１２０の拡開動作と、支脚１１０の折畳み動作が個々に行われる構成とすることが可能であり、その場合、支脚１１０の形式については自由に設定することが可能である。
また電動工具の載置台を構成するサポート部材１３０は、長手方向において中折れ構造としてもよい。また作業台１００に載置する電動工具は、卓上丸鋸２００に限らず、定置式の電動工具であればよい。またロック装置１４０は、関節リンク式のステー１４７に限られない。
【図面の簡単な説明】
【００２３】
【図１】本実施の形態に係る組み立て状態の電動工具用作業台を示す側面図であり、ロック装置によって固定され、丸鋸本体が載置された状態が示されている。
【図２】組み立て状態の電動工具用作業台を示す側面図であり、ロック装置による固定が解除された状態が示されている。
【図３】電動工具用作業台を示す平面図であり、丸鋸本体が載置された状態が示されている。
【図４】サポート部材の離間幅Ｌの調整作業を説明する平面図である。
【図５】作業台の折畳み状態を示す側面図である。
【符号の説明】
【００２４】
１００  作業台
１１０  支脚
１１１  フレーム
１１３  回動軸
１１５  連結棒
１２０  支持棒
１３０  サポート部材
１３１  係合部
１３３  上面部
１３５  取付孔
１４０  ロック機構
１４１  アーム
１４１ａ  軸
１４３  アーム
１４３ａ  軸
１４５  軸
１４７  ステー
１４９  係止爪
【図１】
2005246537.tif 000003
【図２】
2005246537.tif 000004
【図３】
2005246537.tif 000005
【図４】
2005246537.tif 000006
【図５】
2005246537.tif 000007